Podtech/llm-jp-corpus-v4-ja_patent huggingface dataset:
(57)【要約】【課題】  既存の撮影装置、手持ちの撮影装置に、構図を決定する際に重要な要素である水平出しを容易に行なうことができるように、水平ガイドを提供する。【解決手段】  透明容器のほぼ半分を満たす液体を封入した水平ガイドを、撮影装置のモニターに被せる形で取り付ける。撮影者は、水平を示す液面を、モニターに映し出された被写体にオーバーラップさせることにより、撮影装置の傾きを容易に知る事ができる。【選択図】  図１
2007104287.tif 000002
【特許請求の範囲】
【請求項１】
撮影装置のモニター画像を透過するように取り付けられて、撮影装置の水平を確認しながらの撮影を可能にする水準器を備えることを特徴とする水平ガイド
【請求項２】
前記水平ガイドは、撮影装置のモニター画像を透過して見ることのできる大きさの透明容器と、透明容器に注入された液体とを有することを特徴とする請求項１に記載の水平ガイド。
【請求項３】
前記水平ガイドは、重力によって水平が保たれる液面を、撮影のガイドとすることができることを特徴とする請求項１に記載の水平ガイド。
【発明の詳細な説明】
【技術分野】
【０００１】
この発明は、撮影装置のモニターに装着し、撮影時に、撮影装置を水平に保持することができるように支援する技術に関するものである。
【背景技術】
【０００２】
動画や静止画の撮影においては、水平線が画像中で傾かずに水平を保っていることが映像表現上望ましい。
【０００３】
従来のカメラでは、ファインダーを覗くことによって、顔の傾きと撮影装置の傾きが一致しているため、傾いていることに気が付きやすかった。しかし、近年、撮影装置のデジタル化が進み、モニター画面を見て撮影する人が多くなっている。
【０００４】
そのため、撮影装置を体幹から離して撮影する場合が多く、撮影装置が傾いていても、顔が水平に保たれているということと、モニターは撮影装置の傾きとは無関係に被写体をそのまま映し出すため、撮影装置が傾いていることに気が付きにくい。
【０００５】
また、撮影装置に水準器を設けて、その水平状態を確認するものとしては、いくつか提案されている。
【０００６】
特許文献１及び特許文献２では、気泡式の水準器を撮影装置に組み込み、水準器とファインダーの像を交互に見比べるものである。
【０００７】
特許文献３では、取り外し可能な水準器であるが、気泡式の水準器であるため、水準器とファインダーの像を交互に見比べるものである。
【０００８】
特許文献４では、水準器は設けず、モニターに格子線を付け、被写体の水平あるいは垂直と思われるものを格子線に合わせるものである。
【０００９】
【特許文献１】特開平１０−４８７３１
【特許文献２】特開平１０−３０７３２３
【特許文献３】特開２００４−３２５７８９
【特許文献４】特開２００５−１１７６０１
【発明の開示】
【発明が解決しようとする課題】
【００１０】
しかしながら、特許文献１及び特許文献２で提案された撮影装置を実現するためには、新たに撮影装置に水準器を内蔵する必要がある。
【００１１】
特許文献１〜３で採用されている気泡式の水準器では、傾斜の指標が曖昧であり、正確な傾きを検出する事ができない。
【００１２】
また、被写体の像と水準器が離れていて小さいため、一般の撮影においては、水準器を見ること自体が忘れられてしまう可能性がある。
【００１３】
特許文献４では、水準器が設けられていないため、被写体に水平または垂直の基準がない場合は、撮影装置の傾きを検出する事ができない。
【００１４】
本発明は、上記課題を少なくとも１つを解決し、水平度を保った映像を撮影できるようにする水平ガイドを提供することを目的とする。
【課題を解決するための手段】
【００１５】
前記課題を解決するために、本発明は、水平の基準線に液体の表面線を利用し、モニターに表示された被写体をオーバーラップさせることにより、撮影装置の傾きを容易に知る事ができるようにするものである。
【００１６】
また、水平を示す基準が液面なので、気泡式の水準器と違い液面そのものがガイドとなるので、直感的にわかりやすい特徴がある。
【００１７】
本発明の水平ガイドは、取り外して使うことが可能であり、モニターを備える物ならば、どのような撮影装置にも使用可能である。
【発明の効果】
【００１８】
本発明の水平ガイドを使用すれば、モニターに表示された被写体から目を離すことなく撮影装置の傾きを認識、修正することができるので、適切な構図を素早く決定することができる。この水平ガイドは、縦位置に構えた場合でも、横位置に構えた場合でも、共通に使える。
【００１９】
また、撮影装置に取り付けて使用するものなので、各種の撮影装置に付け換えたり、使用するときだけ取り付けることも可能である。
【発明を実施するための最良の形態】
【００２０】
図２は、本発明の実施形態の正面図と側面図である。水平ガイドの透明容器２は、正面図中空部の投影面積がモニターの画像を透過して見るのに充分な大きさを有し、中空部の間隔は液体の流動に支障を生じない限りできるだけ狭くするのが望ましい。
【００２１】
本発明の水平ガイドは、図１に示されるように、透明容器の中空部に液体を封入。液体は容器の中で液面を形成できるような量とし、容器のほぼ半分を満たすようにするのが望ましい。
【実施例１】
【００２２】
デジタルカメラに装着する場合、図３に示すように、本発明の水平ガイドを撮影装置のモニターに取り付け、モニターに映し出された画像を、水平ガイドを通して見ながら撮影する。
【００２３】
撮影装置が傾いている場合は、液面とガイドの均衡が崩れるので、撮影装置の傾きを容易に知ることができる。
【００２４】
図３の実施例では、デジタルカメラに装着した例を示したが、本発明は、デジタルカメラに限らず、ビデオカメラや、カメラ付き携帯電話など、モニターを備える撮影装置全てに適用できるものである。
【図面の簡単な説明】
【００２５】
【図１】本発明に係る水平ガイドの構成を示す外観図である。
【図２】実施形態に係る水平ガイドの正面図と側面図である。
【図３】デジタルカメラに装着した場合の実施例を示す図である。
【符号の説明】
【００２６】
１  水平ガイド
２  透明容器
３  液体
４  液面
５  デジタルカメラ
【図１】
2007104287.tif 000003
【図２】
2007104287.tif 000004
【図３】
2007104287.tif 000005
(57)【要約】      （修正有） 【課題】水自体を浄化する機能を持っているペットの給水用器を提供する。【解決手段】本体及び補充容器内部に光触媒施工することにより自然光源下、及び人工可視光源下においての光触媒反応により飲用水の環境浄化として利用ができる、また補充容器部分を取り外して持ち運び用給水機、給水口部分を哺乳瓶と同じ形状の部品を取り付けることにより哺乳瓶としての流用も可能な環境浄化、付加価値を求めることが出来る考案である。【選択図】  図１
2007104910.tif 000002
【特許請求の範囲】
【請求項１】
ペット用の給水機の水を飲む受け皿部分に光触媒素材（二酸化チタン）または光触媒施工を施した陶器、ガラス、プラスチック、樹脂、塩化ビニールといった素材を使用した環境浄化型給水機。
【請求項２】
接合可能な補充容器を併設し補充容器は形成する素材自体に光透過率の高いガラス、透明状プラスチック、透明状塩化ビニールといった素材内側に光触媒噴霧施工を施す、補充容器は取り外して市販の汎用ペットボトル取付け型給水ユニット、及び本体固定金具、及びバンド、ベルトを装着できる形状、または哺乳瓶の給水部分の口径を均一化させて環境浄化型哺乳瓶とし補充容器のみでの汎用性を持たせた形状の環境浄化型給水機。
【発明の詳細な説明】
【技術分野】
【０００１】
本発明は、ペットの給水用器、一式に光触媒素材を使用するか、または施工することによるペットに対しての給水時及び授乳時の哺乳器としての環境浄化に関する。
【背景技術】
【０００２】
少子化、及び近年のペットに対する飼い主の高い愛情移入を考慮した場合、ペットの飲み水対しての衛生観念も高く既存の水、本体に付加価値をつけて販売している商品も多いが本考案商品は通常の水自体を浄化する機能を持っているので経済的で効率の良い商品である。 
【０００３】
補充容器部分を取り外し可能な形状とし、市販の汎用のペットボトルを給水器化させる給水口取付け口径と同一化することで持ち運びようにも簡単に運用が可能であり光触媒の認知度の向上によっては人間の哺乳瓶としての利用も考えられる。
【特許文献１】第２、６８１、８７４号
【発明の開示】
【発明が解決しようとする課題】
【０００４】
ペットの飲み水に対しては人間のように常に蛇口からひねって新鮮なものを飲用するといった環境ではなく据え置き形式であるのが実情、そんな中、愛するペットに少しでも光触媒がもたらす水との高レベルでの融合による除菌効果、汚れが付きにくい、とった衛生観念をペットの飲み水に、いかに反映させるか、といった課題。 
【課題を解決するための手段】
【０００５】
本考案は飲み水容器に通常の光触媒施工済み媒体（陶器、ガラス、金属）、または通常、紫外線反応型光触媒、及び可視光反応型光触媒を施工したプラスチック、樹脂、塩化ビニールといった安価な媒体に噴霧施工、及び補充容器部分の内部に光触媒施工することにより高い付加価値を得られる考案である。
【発明の効果】
【０００６】
上記でも述べたように屋外でのペットの飲み水は、もとより室内での環境浄化にも効果を発揮し既存の商品に二次加工するだけでも比較的容易で安価に高付加価値商品の製造が可能となる。
【発明を実施するための最良の形態】
【０００７】
容器部分において光触媒焼付け施工陶器、ガラス、または金属物質としての二酸化チタン（光触媒原料）を使用することが効果の持続性としては望ましい、ただコスト面を考慮すると、プラスチック、樹脂、塩化ビニールといった安価な媒体に噴霧施工することも範中にいれ顧客のニーズに配慮した素材選びが重要となる。
【０００８】
補充容器部分においても光の透過性の高く光触媒効果の耐久性も高いガラス素材を使用も考えられるが持ち運び使用時の破損事故、および安全性を考慮した場合、プラスチック、樹脂、塩化ビニールといった安価な媒体に噴霧施工が望ましいと考えられる、本体と取付け結合させる部分も汎用のペットボトル給水ノズル、および哺乳瓶と同一化形状とすることが必須である。
【実施例１】
【０００９】
以下の、本発明の実施の形態を図１〜図３で説明する。
【００１０】
図において、１は補充容器部分を本体に装着して通常使用を示したものである。
【００１１】
図において、２は補充容器部分を取り外して汎用給水ノズル、及び本体取り付けベルトを装着して持ち運び用途としてマジックベルト等の取り付け器具を使用した一例を表記したものである。
【００１２】
図において、３は給水部分に哺乳瓶の部品を装着した一例を示した図である。
【産業上の利用可能性】
【００１３】
現状のペット関連産業において今後の光触媒の認知度の向上により利用が望めるほか現状の法律下では補充容器部分に関して飲料を中に入れた容器としての利用は難しいが光触媒の認知度の向上すれば使用が可能になる可能性も考えられるが現状の概念では哺乳瓶までの利用が限界と判断される。
【図面の簡単な説明】
【００１４】
【図１】「補充容器部分を本体に装着して通常使用をしたものを斜めから表記した図である。」
【図２】「補充容器部分を取り外して汎用給水ノズル、及び本体取り付けベルトを装着して持ち運び用途として使用する時の形状を表記したものある。」
【図３】「給水部分に哺乳瓶の部品を装着した状態を示した図である。」
【符号の説明】
【００１５】
Ａ  給水容器本体
Ｂ  補充容器部分
Ｃ  汎用給水装置
Ｄ  哺乳瓶給水部分
Ｅ  補充容器取り付け部分
【図１】
2007104910.tif 000003
【図２】
2007104910.tif 000004
【図３】
2007104910.tif 000005
(57)【要約】【課題】  柿酢の利用において、香りと酸味が強いため利用されにくい。柿酢を、調味材料とし、特定量のサラダ用オイル・砂糖・醤油・レモン汁・ごま油・胡椒を加えることにより、酸味を緩和しつつ、柿酢の香りを残した風味のよい柿酢ドレッシングを製造する。【解決手段】  柿酢（品種：平核無、富有）１８０ｃｃ、サラダ用オイル（１８０ｃｃ）、砂糖大さじ３杯・醤油大さじ４杯・レモン汁小さじ１杯・ごま油大さじ１杯・胡椒少々加える。食用前によく容器をふり混ぜ合わせることで、柿酢の香りを残した柿酢ドレッシングの基本ができる。さらに、柿酢ドレッシングに汎用性をもたせるため、パイナップル果汁・ニンニク・根昆布・唐辛子をそれぞれ基本のドレッシングに添加した種類を製造した。【選択図】    なし【特許請求の範囲】
【請求項１】
柿酢（品種：平核無、富有）１８０ｃｃに、サラダ用オイル（１８０ｃｃ）、砂糖大さじ３杯、醤油大さじ４杯、レモン汁小さじ１杯、ごま油大さじ１杯、胡椒少々加える。食用前によく容器をふり混ぜ合わせることで、柿酢の風味を高めた柿酢ドレッシング製造方法。
【発明の詳細な説明】
【技術分野】
【０００１】
柿酢特有の強い香り・酸味を緩和するため、サラダ用オイル（１８０ｃｃ）、砂糖大さじ
３杯、醤油大さじ４杯、レモン汁小さじ１杯、ごま油大さじ１杯、胡椒少々加える。食用
前によく容器をふり混ぜ合わせる。この調味加工により、柿酢の香りを緩和しつつも、独
特の風味が醸し出せる。
【背景技術】
【０００２】
柿酢（品種：平核無、富有）１８０ｃｃに、サラダ用オイル（１８０ｃｃ）、砂糖大さじ３杯、醤油大さじ４杯、レモン汁小さじ１杯、ごま油大さじ１杯、胡椒少々加える。食用前によく容器をふり混ぜ合わせることで、柿酢の香りを残した柿酢ドレッシングの基本とする。また、柿酢ドレッシングに汎用性をもたせるため、パイナップル果汁（１０ｃｃ）・ニンニク（小さじ１杯）・根昆布（５ｇ）・土生姜（こし汁１０ｃｃ）を基本のドレッシングにそれぞれ添加した４種類のドレッシングを製造した。
【発明の開示】
【発明が解決しようとする課題】
【０００３】
柿酢を利用する上で、強い香りと酸味があり飲食されにくいと判断した。柿酢をベースとしたドレッシングを開発することにより、柿酢の汎用性をもたせる。
【課題を解決するための手段】
【０００４】
強い香りと酸味を緩和するため、柿酢（品種：平核無、富有）１８０ｃｃに、サラダ用オイル（１８０ｃｃ）、砂糖大さじ３杯、醤油大さじ４杯、レモン汁小さじ１杯、ごま油大さじ１杯、胡椒少々加えることにより、柿酢の持つ風味を生かしたドレッシングを製造した。
【発明の効果】
【０００５】
柿酢ドレッシングとして、柿栖の強い香り・酸味が緩和され、食用として利用される。
【発明を実施するための最良の形態】
【０００６】
柿酢（品種：平核無、富有）１８０ｃｃに、サラダ用オイル（１８０ｃｃ）、砂糖大さじ３杯・醤油大さじ４杯・レモン汁小さじ１杯・ごま油大さじ１杯・胡椒少々加える。食用前によく容器をふり混ぜ合わせることで、柿酢の香りを残した柿酢ドレッシングの基本ができる。
(57)【要約】【課題】  柿酢を使用するために酢のにおいが強く、お菓子として食べにくい。  寒天の代用としてゼラチンを使用すると分離してしまう。【解決手段】  強い酢のにおいを緩和するために、ぶどう液や桃のシロップ煮、ジャム等を使用することにより、柿酢の酸味の少ないあと味のよい柿酢ゼリーを作ることができる。【選択図】  なし【特許請求の範囲】
【請求項１】
柿（品種：平核無、富有）から製造した柿酢２２．５CC、寒天（白）４ｇ、水５００CC、はちみつ９０ｇを混合し、固めて作ることを特徴とする柿酢ゼリーの製造方法。
【発明の詳細な説明】
【技術分野】
【０００１】
柿酢の強いにおいを緩和するため、寒天溶液にはちみつを入れ柿酢を混入するときの温度を加減する。さらに柿酢のあと味をよくするため、ぶどう液、ジャム、桃のシロップ煮を加え固めることにより、柿酢ゼリーとなる。
【背景技術】
【０００２】
寒天（白）４g、水５００CC、柿酢２２．５CC、はちみつ９０gを使用する。
寒天を水で煮溶かし、はちみつ９０ｇを加え、混ぜる。少し、温度が下がった後、柿酢を加える。
【０００３】
ゼリーカップに溶液を入れ、１０分程度たって少し固まり始めたら、ジャム、桃のシロップ煮、ぶどう液を入れ、それぞれがカップの中央にくるように固め、柿酢ゼリーが作られる。
【発明の開示】
【発明が解決しようとする課題】
【０００４】
柿酢を使用するため、酢のにおいが強かったり、また寒天を煮溶かすため、柿酢を混入するときの温度により柿酢特有の酸味が消えてしまうことがある。
【課題を解決するための手段】
【０００５】
柿酢のにおいを適度に残すように、柿酢を混入するときの寒天溶液の温度を調節することにより、柿酢特有の良好な酸味とあと味を兼ね備えた柿酢ゼリーができる。
【発明の効果】
【０００６】
寒天を煮溶かし、はちみつを加えた後、柿酢を混入するときの温度調節により、柿酢特有の強いにおいが緩和される。また、ぶどう液、桃のシロップ煮を加えることで、良好な酸味のあと味を備えた柿酢ゼリーが完成した。
【発明を実施するための最良の形態】
【０００７】
寒天（白）４gを水５００CCで煮溶かし、はちみつ９０g、柿酢（品種：平核無、富有）２５CC、ぶどう液１５CCを加えて固めることにより柿酢ゼリーができる。低温で長期に保存すると酢と寒天がよく熟成され、深みがあるまろやかな味になる。
(57)【要約】      （修正有）【課題】ネジの種類を問わず、１ヶ、１ヶ確実に分離するネジ分離機を提供する。【解決手段】ネジ頭分離プレート２、ネジ部分離ツメ３を駆動させるためのシリンダー１、ネジの噛み込みを検知する検知スイッチ６と、圧縮コイルバネ４とからなり、圧縮コイルバネ４でネジ部分離ツメ３の噛み込みを吸収して、分離が確実に行われるまでネジの分離動作を繰り返す事ができる。【選択図】図２
2007283476.tif 000002
【特許請求の範囲】
【請求項１】
ネジ分離の際にネジの噛み込みを圧縮コイルバネの吸収によって防ぐネジ分離機。
【請求項２】
ネジ分離の際のネジの噛み込みを検知するスイッチにより、ネジの分離を確実にするネジ分離機。
【発明の詳細な説明】
【技術分野】
【０００１】  本発明はネジを１ヶ，１ヶ確実に分離する機構に関する。
【背景技術】
【０００２】  従来のネジ分離は１本のシリンダーによって強制的に分離していた。
【発明の開示】
【発明が解決しようとする課題】
【０００３】  シリンダーに取付けたネジを１ヶ、１ヶ分離するためのツメによって、強制的にネジの分離を行っていたために、ネジの噛み込みにより、ネジの分離なく、その状態を維持しづつていた。【０００４】  本発明はこのような問題点を解決する物であり、ネジの種類を問わず、１ヶ、１ヶ確実に分離する物である。
【課題を解決するための手段】
【０００５】  本発明は、上記目的を達成するために、ネジ頭分離プレート、ネジ部分離ツメを用いて同時に分離し、ネジの噛み込みを検知するスイッチを設ける物である。
【発明の効果】
【０００６】  上記のようにネジ頭分離プレート、ネジ部分離ツメでネジが落下する穴をガイドする事により、ネジ送りパイプ内での引っ掛かりも無くなる。
【発明を実施するための最良の形態】
【０００７】  以下、本発明を図１〜図３に基づいて説明する。【０００８】  本図において、ネジ分離機の平面図の図１の（１）はネジ頭分離プレート（２），ネジ
2007283476.tif 000003
みを吸収するための圧縮コイルバネ、（５）はネジの噛み込みを検出スイッチ（６）に伝えるための検出シャフト、（７）は分離されたネジを他の機器に送るためのネジ送りパイプで構成されている。【０００９】  上記の構成の動作を説明する。Ｂの位置のネジをネジ頭分離プレート（２）、ネジ部分
2007283476.tif 000004
分離の際にネジの噛み込みの場合にはネジ頭分離プレート（２），検出スイッチ（６）
2007283476.tif 000005
はその位置を維持するために、検出スイッチ（６）がＯＮの状態になりＮＧ発生するが発
2007283476.tif 000006
ジ分離が行われる事ができる。
【図面の簡単な説明】
【００１０】
【図１】ネジ分離機の平面図
【図２】ネジ分離機のＡ−Ａ矢視図（原点）
【図３】ネジ分離完了の状態
【符号の説明】
【００１１】    １      シリンダー            ５      検出シャフト
２      ネジ頭分離プレート    ６      検出スイッチ
３      ネジ部分離ツメ        ７      ネジ送りパイプ
４      圧縮コイルバネ
【図１】
2007283476.tif 000007
【図２】
2007283476.tif 000008
【図３】
2007283476.tif 000009
(57)【要約】      （修正有）【課題】回転軸とスクロールチャックの連結部に複数個の調節ネジを設けて品物の中心出しを容易にする連結部を提供する。【解決手段】連結部１に複数個所に六角穴付止めネジ２を設けた凸部１１をつくり、尚連結部１の内側の面３３とスクロールチャック４の側面９の各々の面を滑らかに作成し六角穴付止めネジの調節による品物の中心出しを容易することが出来ることを特徴とする。【選択図】図１
2007283475.tif 000002
【特許請求の範囲】
【請求項１】
（イ）連結部１の側面に凸部を設ける。
（ロ）凸部の複数個所に押ネジを設けたる。
以上のごとく構成されたスクロールチャックの連結部。
【発明の詳細な説明】
［発明の詳細な説明］
【０００１】
【発明に属する技術分野】
この発明は回転軸に取付けて使用するスクロールチャックに属するものである。
【０００２】従来のストロークチャック（以後チャックと書く）の固定は六角ボルト３の強力な締め付け固定に求めていたためにチャックに固定した品物の中心出しに時間必要で尚チャックにあたえる打撃によりダイヤルゲージの破損が多くおきていた。
【０００３】
【発明が解決しようとする課題】
この発明はチャックで固定した品物の中心出しの迅速にし尚ダイヤネゲージの破損を減少することができる。
【０００４】
【課題を解決するための手段】
連結固定部１の内面３２の面とチャック９の両面が滑らかにしてあるため六角ボルトをゆるめることなくダイヤルゲージを見ながら六角穴付止めネジ２の調節により容易にチャックを目的の位置に動かすことが出来る。
六角ボルト（３）の締め付けの調節を磁石の強弱のそうさによりおこなうことも可能である、叉六角穴付止めネジ（２）の調節もコンピーター制御モーターを適当な位置に設け制御することにより中心出し及び目的の加工品の正確な変芯をすることが出来る。
【０００５】
【発明実施の形態】
以上の構成であるからダイヤルケージのテコの先端をチャックに固定した品物に接触させチュックを回しダイヤルゲージの針の位置をみて品物が中芯に動くように六角穴付止めネジの調節により中芯位置出しが可能である。
【０００６】
【発明の効果】
チャック４の接触面９と連結部１の内面３２の両面が滑らかであるから六角ボルト３をゆるめることなく六角穴付止めネジの調節によりじんそくに品物の中心位置出しが出来る尚ダイヤルゲージを見ながら目的の位置に品物を正確に変芯固定することも可能である、チャックを打撃による芯出しをしないのでダイヤルゲージの破損もない。
【図面の簡単な説明】
【図１】本発明を回軸とスクロールチャックに連結した状態の正面図
【図２】（図１）の側面図
【図３】スクロールチャック側面図
【図４】スクロールチャック正面図
【図５】本発明連結部正面図
【図６】品物をスクロールチャックに固定しダイヤルゲージを接触した状態
【図７】連結部とスクロールチャックの接触部分の断面図
【図８】リング正面図
【図９】従来のスクロールチャック連結部品の正面図
【図１０】図９連結部品の側面図
【図１１】連結リング側面図
【図１２】連結リング正面図
【符号の説明】
１は連結部・２は六角穴付止めネジ・３は六角ボルト・４はスクロールチャック・５は連結部ネジ部・６は回転軸・７は六角穴付止めネジ先端・８は爪・９は接触面・１０はハンドル穴・１３は六角ボルト挿入孔・１４は連結部の回転軸への取付ネジ部・１５は六角穴付止めネジのネジ孔・１６はスクロールチャック接触面・１８は品物・１９はダイヤルゲージテコ先端・２０はダイヤルゲージ・２１はダイヤルゲージを固定する台の１部・２２はダイヤルゲージの針部・２３は連結部とスクロールチャックの接触面・２４は従来の連結部外面・２６はスクロールチャック接触面・２５はスクロールチャック外面に固定される内部分・２８はネジ孔・３１は六角ボルト挿入孔
【図１】
2007283475.tif 000003
【図２】
2007283475.tif 000004
【図３】
2007283475.tif 000005
【図４】
2007283475.tif 000006
【図５】
2007283475.tif 000007
【図６】
2007283475.tif 000008
【図７】
2007283475.tif 000009
【図８】
2007283475.tif 000010
【図９】
2007283475.tif 000011
【図１０】
2007283475.tif 000012
【図１１】
2007283475.tif 000013
【図１２】
2007283475.tif 000014
(57)【要約】【課題】  収縮性のあるリング状の物体を拡張して他の物体に移行もしくは装着しようとする際手指等では容易に出来ない物件があるのでこれ等を何人でも容易に実行できるための発明に関する。【解決手段】  本発明は、０００４に記したように円盤の中心から半円に等しく溝を切明けその２枚の盤を逆方向に重ねる切った溝が交差する所に菱型の空間が出来る、その空間は盤を回すことで外又は内側に移動しますので、その空間にスライドねじを複数差込み盤を回すとそのねじの集合は多数角になって拡張していくので解決手段としてこの方法を発明した、最も抵抗が少なく機能が活かせるかと言う課題について被拡張物体を掛けるためスライドするねじ図７及び盤を回転させる図２のＡ，Ｂ，Ｃと図６のＥの開発手段で課題を解決した。【選択図】図１
2007283477.tif 000002
【特許請求の範囲】
【請求項１】
本発明は、ゴム等の収縮性のあるリング状のものの直径を拡大するのに手指などでは困難を極める場合に、円盤で中心から半円状の溝を切った盤を右回りと左回りに重ね合わせて出来た菱型の空間に、図１のＤのスライドねじを装着し前記の重ねあわせた円盤を逆方向に回すことでリング等の拡張が出来るゴムリング拡張器に関する。
【請求項２】
本発明は、半円状の溝を切った図２の外枠に図５の内枠をはめ込み内枠を回すために図２のＣのスライドアームを外枠に固定し図２のＡスライドレバー及び図２のＢスライドかぎを装着し内枠の図６のＥにスライドかぎが接触出来るためにスライドする長さを口開し図６の内枠に等間隔の３方を切り図２のＣ側の切り口に図２のＢが掛かるためにその切り口を内側に曲げて図２のＢを引っ掛け図２のＡをあおって内外枠を逆に回してスライドねじを移動させリングを拡張する、図６のＥで切らない一辺は図２のＢがスライドし易いために残したゴムリング拡張器に関する。
【発明の詳細な説明】
【技術分野】
【０００１】  本発明は、ゴムリング等円形状の直径を手指で拡張するのが困難を極める場合のためのリング拡張器に関する。
【背景技術】
【０００２】  ゴムリング等拡張して他の物件に掛けようとするか又は、はめようとするのに手指の力だけでは困難を極める場合がある、対象物がガラス等の壊れ易い物には極度の圧力が掛けられないために器具で容易に作業を進行させるに関する。
【発明の開示】
【発明が解決するための課題】
【０００３】  本発明は、金属及び硬質の塩化ビニールやプラスチックはある程度強度の圧力が掛かっても耐久力があるが、ガラス系の物など壊れ易い物件には従来手指先によるものであったが人力には限度があり確実に安全に施業出来なくてはならない。
【課題を解決するための手段】
【０００４】  本発明は、前記の０００３の課題を解決するために請求項１の円状の盤の中心から半円の溝を切ったものを逆方向に合わせた２枚の溝の接点に出来る菱型の空間に図７のスライドねじを正面側に棒状の傘部にして２枚の盤を貫く菱型の空間をスライド部にして差込内枠の中側で袋ねじで所定の場所で止め固定する、スライドねじの傘部の縮小集合した外側に拡張する対象物をはめ、枠を逆方向に回転させることで図７のスライドねじが外側に拡張していくことに関する。
【０００５】  本発明の請求項２の図２と図５を逆方向に重ねたものを容易に回すために図２のＣを固定し図２のＡ及びＢを操作し図６のＥの切り口に掛けて内枠を回し図２のＡをあおって回転させる。
【発明の効果】
【０００６】  本発明の効果は請求項１の２枚の半円状の溝の合わさった空間は菱形系ですので強い力でリングを拡張していってもリングの戻り力で拡張されたリングが戻り収縮することはない。
【０００７】  スライドねじの傘が棒状でスライドねじと菱形の空間の間にある微小の不一致の間隔があるのでスライドねじはそれぞれがやや内向きになるのでリング等が対象の物件に移行し易い効果がある。
【０００８】  図６のＥは３方切断し図２のＢが引っ掛かるために図２のＣのアーム側を内側に曲げることで切らない対向側との切断されたＥの面はスロープ状になるので図２Ａをあおった時図２のＢの先端がスムーズにスライドする効果がある。
【発明を実施するための最良の形態】
【０００９】  本発明は、小径のリング等を最大に拡張して他の物件に移行又は装着することが容易にできるようになった。
【実施例】
【００１０】  本発明は、０００４に記したように円盤に中心から半円状の溝を切った等しい円盤を裏表に合わせるとある菱型の空間が出来て回転させるとその空間は移動しますのでその２枚の溝の交差した空間に図７のスライドねじを複数本を装着し中心に集合して図７のＦの棒状の傘部が集合したその外側に拡張しようとする物件をはめて回転させることで図７のスライドねじが外側に拡張していく、その物件は拡張され所定の拡大値で現状を維持出来るので移行作業等が安全に出来、作業終了次第元にもどせますので手の力が弱いか又は多少不自由であってもリング等の直径を拡大することが出来る。
【図面の簡単な説明】
【００１１】
【図１】  リング拡張器の外枠と内枠を組み立てた完成図
【図２】  リング拡張器の外枠正面図
【図３】  リング拡張器外枠の斜視図
【図４】  リング拡張器外枠の側面図
【図５】  リング拡張器内枠の正面図
【図６】  リング内枠の斜視図
【図７】  スライドねじ分解図
【符号の簡単な説明】
【００１２】  Ａ    スライドレバー
Ｂ    スライドかぎ
Ｃ    スライドアーム
Ｄ    スライドねじ
Ｅ    内枠のスライドかぎの掛り部
Ｆ    スライドねじの傘部
Ｇ    スライドねじのスライド部
Ｈ    スライドねじの固定袋ねじ部
【図１】
2007283477.tif 000003
【図２】
2007283477.tif 000004
【図３】
2007283477.tif 000005
【図４】
2007283477.tif 000006
【図５】
2007283477.tif 000007
【図６】
2007283477.tif 000008
【図７】
2007283477.tif 000009
(57)【要約】【課題】  染色によって、竹材に形成された２層の着色層の表面を研磨して各種のグラデーションを現す場合、研磨を強くし過ぎると、下層の着色層まで削り落とされて、下地の竹材そのものの色が出てしまうという問題がある。【解決手段】  下層の染色の溶媒として、アルコールを使用することにより、竹材の深部まで染料が浸透するため、研磨によって２層の着色層が全て削り落とされて、上記のような問題を起こすことはなくなり、製作者は、製品における表現の幅を拡げることができる【選択図】なし【特許請求の範囲】
【請求項１】
竹材にたいし、染色により複数の着色層を形成し、これを研磨して各種のグラデーションを出現させる着色方法において、染料の溶媒としてアルコールを使用したことを特徴とする竹工芸品の製造方法。
【発明の詳細な説明】
【技術分野】
【０００１】
本発明は、竹工芸品の製造方法に関するものであり、竹材への染色による着色工程に、アルコールを使用することにより、従来の方法の弱点を改善しようとするものである。
【背景技術】
【０００２】
従来から一般的に行われている竹工芸品に対する染色方法の1例を工程順に以下に記す。
【０００３】
１：  １次染色  …  水１００ｃｃに対し０．２ｇ前後のビスマークブラウンを溶解した染浴を沸騰させ、そこに竹材を浸漬し、３０分前後煮沸する。
【０００４】
２：  水洗    →    ３：  乾燥    →    ４：  編組、縁の取り付け等
【０００５】
５：  ２次染色  …  水１００ｃｃに対し、合計で０．０２ｇ前後のビスマークブラウン、マラカイトグリーン，メチルバイオレットを溶解した染浴を沸騰させ、そこに製品を浸漬し、３０秒〜２分程度煮沸する。
【０００６】
６：  水洗    →    ７：  乾燥
【０００７】
８：  研ぎ出し  …  ある種の微粉末の研磨材を水で湿した布等につけて製品の表面を研磨する。  この時、編組等によって形成された表面の凹凸の凸部が強く研磨されるため、２次染色の層が削り落とされ、１次染色の色が現れる。  これにより、凸部は１次染色のやや明るめの赤茶色に、凹部は２次染色の濃い暗褐色になり、茶系の明度グラデーションを出現させる。  この後、塗装，錆び付け等の仕上げ工程があるが、本発明の本質とは直接関係がないので省略する。
【発明の開示】
【発明が解決しようとする課題】
【０００８】
ところが、製作者の意図によっては、研ぎ出しの程度を強くし、１次染色の色を、より多く現そうとする場合があるが、そうした場合、凸部の最頂部や、ひごの角などが特に強く研磨されるため、１次染色の層も削り落とされ、下地の竹材そのものの色が現れることになり、場合によっては貧相なイメージになることがある。
【課題を解決するための手段】
【０００９】
本発明は、このような問題を解決するため、１次染色の溶媒として、アルコールを使用したことを特徴とするものである。  アルコールは、染料の溶解性がよく、また、竹材への浸透性も非常によいため竹材内部まで比較的容易に染色することができる。
【発明の効果】
【００１０】
本発明により、研ぎ出しの程度をかなり強くしても、１次染色は竹材の相当深部まで浸透しているので、１次染色の層まで削り落とされることは、まずないと言ってよく、製品に製作者の意図を充分に反映できるまで、研ぎ出すことが可能となる。  このことで、製作者は製品における表現の幅を拡げることができる。
【実施例】
【００１１】
本発明の一実施例を工程順に以下に記す。
【００１２】
１：  １次染色  …  メタノール１００ｃｃに対し、オーラミン０．４ｇ前後と、マラカイトグリーン０．０２ｇ前後を溶解した常温の染浴に、予め過酸化水素水等で漂白した竹材を２〜６時間程度浸漬する。
【００１３】
２：  水洗    →    ３：  乾燥    →    ４：  編組，縁の取り付け等
【００１４】
５：  ２次染色  …  水１００ｃｃに対し、オーラミン０．４ｇ前後と、マラカイトグリーン０．０５ｇ前後を溶解した染浴を沸騰させ、そこに製品を浸漬し３０秒〜２分程度煮沸する。
【００１５】
６：  水洗    →    ７：  乾燥
【００１６】
８：  研ぎ出し  …  従来の方法と同様であるが、前述のとおり、かなり強く研ぎ出しを行っても、下地の竹材の色が現れることはないと言っていい。  これにより、この実施例の場合、凸部は１次染色の黄緑色に、凹部は２次染色の深緑色になり、緑系の明度グラデーションを、出現させることができる。
【００１７】
また、これは染料がアルコールに溶けないとか、反応して変質するなどの問題がなければ、他の染料にも応用できると思われ、様々な染料を使用し、他の色相の色による明度グラデーションや、１次染色と２時染色の色相を変えて、色相グラデーションを出現させることなども可能と考えられる。
【産業上の利用可能性】
【００１８】
本発明に係る竹工芸品の製造方法は、技術的，あるいは設備的にも、それほど困難な点はないと思われ、誰でも用意に利用できる。
(57)【要約】  【課題】  本発明は、多種多様な浄化槽の設置条件に対応可能な、浄化槽用嵩上げ枠の提供を目的とする。  【解決手段】  嵩上げ部材と、この嵩上げ部材に固定される枠体とを備え、上記嵩上げ部材が、平板を湾曲させたものである浄化槽用嵩上げ枠。  【選択図】  図６
2007283189.tif 000002
【特許請求の範囲】
【請求項１】
嵩上げ部材と、この嵩上げ部材に固定される枠体とを備え、上記嵩上げ部材が、平板を湾曲させたものである浄化槽用嵩上げ枠。
【請求項２】
請求項１において、嵩上げ部材が、複数の平板を湾曲させて組み合わせたものである浄化槽用嵩上げ枠。
【請求項３】
請求項１又は２において、嵩上げ部材が、寸法線を有している浄化槽用嵩上げ枠。
【発明の詳細な説明】
【技術分野】
【０００１】
本発明は、汚水浄化を行う汚水浄化槽に用いる、嵩上げ枠に関する。
【背景技術】
【０００２】
嵩上げ枠は、浄化槽本体と、マンホールとの間に介在するものであり、浄化槽を地中深くに埋める際、マンホールを地表設置するために用いられる。
より具体的に述べると、図１に示すように、浄化槽本体１の設置位置が、排水発生地点２から離れるにしたがって、排水勾配をとる必要性から、深くなっていく。図１に示すものでは、排水発生地点２にて発生した汚水が、３つの汚水枡３を経由して汚水配管の中を流下し、流入管４より浄化槽本体１へと流入する。
【０００３】
浄化槽本体１に流入した汚水は、微生物処理等により浄化され、放流管５より系外へと流出する。また、浄化槽本体１の内部は、定期的なメンテナンス作業、状態検査等を行うため、地表より見えるようにする必要があり、通常はマンホール蓋６により閉塞しているが、必要に応じてマンホール蓋６を開放するようにしている。
【０００４】
浄化槽本体１と、マンホール蓋６との間は、その高さが、個々の浄化槽設置場所により変化するので、施工現場の状況に合わせて、高さの異なる嵩上げ枠７を用意しておき、最も適したものを使用している。
【特許文献１】特許開平１０−２５８８９５号公報
【発明の開示】
【発明が解決しようとする課題】
【０００５】
しかしながら、先に述べたように、浄化槽本体と、マンホール蓋との間の高さは、浄化槽本体の設置場所により様々に変化するものであり、予め用意しておく嵩上げ枠の種類が極めて多くなる問題がある。
また、マンホール蓋の直径は、浄化槽本体の種類により変化するので、予め用意する科下げ枠の種類が、更に多くなるとの問題がある。
【０００６】
本発明は、多種多様な浄化槽の設置条件に対応可能な、浄化槽用嵩上げ枠の提供を目的とする。
【課題を解決するための手段】
【０００７】
本発明は、以下のものに関する。
（１）嵩上げ部材と、この嵩上げ部材に固定される枠体とを備え、上記嵩上げ部材が、平板を湾曲させたものである浄化槽用嵩上げ枠。
（２）項（１）において、嵩上げ部材が、複数の平板を湾曲させて組み合わせたものである浄化槽用嵩上げ枠。
（３）項（１）又は（２）において、嵩上げ部材が、寸法線を有している浄化槽用嵩上げ枠。
【発明の効果】
【０００８】
本発明によれば、平板を湾曲させて嵩上げ枠を形成するので、予め円筒状に形成され、その高さ及び直径を変化させることができない嵩上げ枠とは異なり、湾曲させる曲率を変化させることで直径の変化に対応可能であり、平板で切断しやすいことから高さ対応も容易に可能である。
また、嵩上げ部材は、湾曲させる前が平板であるので、保管スペースを最小限とすることができ、輸送も行いやすい。
【０００９】
複数の平板を用いた場合は、平板の曲率を抑えることができるので、使用できる材質の選択肢を増やすことができ、また、曲げ作業の際の労力を抑えることができる。
【００１０】
嵩上げ部材が寸法線を有している場合は、切断時の目安とすることができ、線引き等の施工現場での作業を効率化することができる。
【発明を実施するための最良の形態】
【００１１】
本発明にて述べる嵩上げ部材は、平板を湾曲させたものであればよく、その大きさ、材質等、制限されるものではない。材質は、曲げることを考え、ＰＰ、ＰＥ、ＰＶＣ等の可撓性の樹脂を使用することが好ましく、厚みは０．５〜１．５ｍｍ程度とすることが好ましい。
また、１つの嵩上げ枠に対して使用する平板の数は、一枚でも、複数枚でも良い。
平板に入れる寸法線は、印刷、切欠、平板成形時のプレス等、どのように表現されてもよく、必ずしも等間隔に入れる必要はない。具体的には、平板の長辺に平行な線を等間隔に入れることが好ましく、この線を基準として用意に平板の切断を行い、高さ調整を行うことができる。
【００１２】
本発明にて述べる枠体は、嵩上げ部材に固定され、マンホール蓋を入れ込むものであり、高さ調整が不要であることから、マンホール直径に合わせたものを選択して使用することができる。
枠体は、マンホール蓋の受面を有しており、この受面の周囲にマンホール蓋の側壁（周壁）と対向する起立壁を備えている。
【実施例】
【００１３】
以下、図面を用いて本発明の実施例について説明する。
図２は、嵩上げ部材に使用する平板８であり、長辺２０００ｍｍ、短辺６００ｍｍ、厚み１ｍｍの大きさを有し、長辺と平行な溝９を１００ｍｍ間隔にて設けてある。
平板８は、図３に示すように湾曲させて嵩上げ部材１０となし、一部を重ね合わせてボルトにより固定して、直径６００ｍｍにしている。
【００１４】
図４は、図３に示す嵩上げ部材１０に、枠体１１を固定したものである。固定方法は、図５に示すように、枠体１１の下面周壁１２の内部に嵩上げ部材１０を嵌合させ、外側よりボルト１３にて固定している。
枠体１１は、上面外周壁１４及び上面内周壁１５を備え、上面外周壁１４と、上面内周壁１５とにトラップ溝１６が設けてある。
トラップ溝１６は、地上に露出しているマンホール蓋と、上面外周壁１４との間の隙間より侵入する土砂等を堰きとめ、土砂等が浄化槽本体に新入することを防いでいる。
【００１５】
図６は、本発明の別の実施例であり、平板を３枚使用して嵩上げ部材１０を形成している。複数の平板を使用している場合は、平板の曲率を小さくできるので、施工現場での曲げ労力が小さくて済み、同じ直径の嵩上げ部材とするのであれば、平板の長辺が短いので取り扱いも行いやすい。
【図面の簡単な説明】
【００１６】
【図１】従来例を示す、浄化槽の埋設状態断面図である。
【図２】本発明の１実施例であり、嵩上げ枠に使用する平板の斜視図である。
【図３】本発明の１実施例であり、嵩上げ部材を示す斜視図である。
【図４】本発明の１実施例であり、嵩上げ枠の斜視図である。
【図５】図４に示す嵩上げ枠の枠体部分拡大断面図である。
【図６】本発明の別の１実施例を示す嵩上げ枠の斜視図である。
【符号の説明】
【００１７】
１：浄化槽本体、２：排水発生地点、３：汚水枡、４：流入管、５：放流管、６：マンホール蓋、７：嵩上げ枠、８：平板、９：溝、１０：嵩上げ部材、１１：枠体、１２：下面周壁、１３：ボルト、１４：上面外周壁、１５：上面内周壁、１６：トラップ溝。
【図１】
2007283189.tif 000003
【図２】
2007283189.tif 000004
【図３】
2007283189.tif 000005
【図４】
2007283189.tif 000006
【図５】
2007283189.tif 000007
【図６】
2007283189.tif 000008
(57)【要約】      （修正有）【課題】今までのペ−パ−ホルダ−より、もっと簡単に２重３重に畳んだペ−パ−を楽に簡単にカットできるホルダ−。しかも片手で使用出来、子供  老人  病人  怪我人等に適したホルダ−。どんな種類のロ−ルペ−パ−でも使用でき、取り出し方向を考えず、ただ挿入するだけでセットでき使用出来るホルダ−の提供。【解決手段】本体ケ−ス１にロ−ルペ−パ−を挿入し、ペ−パ−の先をつまんでカバ−２後ろ奥からカバ−２上部にのせて引き出し、カバ−２の上で２重３重に折り畳んだ物を切り歯３により軽く押し下げるだけでカットできる構造のペ−パ−ホルダ−。【選択図】図６
2007283075.tif 000002
【特許請求の範囲】
【請求項１】
ペ−パ−の先の出る方向を手前に出すか後ろに出すか，関係なく本体ケ−ス（１）に挿入したロ−ルペ−パ−の先をつかんでカバ−（２）の後ろ奥からカバ−（２）の上部にのせて引き出しカバ−（２）の先端の切歯（３）によりベ−パ＝を押し下げて切断するペ−パ−ホルダ−
【請求項２】
〔請求項１〕のホルダ−使用時カバ−の上で引出したペ−パ−を奥に折り返し重なった先を引き出し、これを２回３回折り返し使い易い状態にまとめた物をカバ−先端の切歯により軽く押し下げる事で切断するペ−パ−ホルダ−
【発明の詳細な説明】
【技術分野】
【０００１】トイレットペ−パ−ホルダ−
【背景技術】
【０００２】トイレ使用時ペ−パ−の先端はカバ−の下にあり片方の手でカバ−をもちあげ片手で先端をつまみ引き出しカバ−を手で押さえカットして長いペ−バ−をたたんで使用していました。【０００３】短所をまとめると次の様になります。
○カバ−を上げてもペ−パ−の先端がわかりにくい。
○ペ−パ−を片手でカットすることができなかった。
○長く切ったペ−パ−を思うようにたためなかった。
○カバ−でミシン目がわからない。
○ホルダ−内のペ−パ−残量がカバ−でわからない。
○ロ−ルペ−パ−取り付け時ペ−パ−の出る向きをよく確認しないと使えない。
○カットするとき思うように切れずホルダ−内のペ−パ−をさらに引き出していた。
○ロ−ルペ−パ−の芯のない物は使えないホルダ−もある。
○ペ−パ−残量が少なくなると使いずらくなる。
【発明の開示】
【発明が解決しようとする課題】
【０００４】老人がホルダ−使う時、使いにくい事まとめると次の様になります。
○ロ−ルペ−パ−取り付け時ペ−パ−の出る向きを確認しないで使えないか。
○ホルダ−の中の残量がすぐにわからないか。
○ペ−パ−の先端がすぐわからないか。
○ペ−パ−を引き出しやすくならないか。
○ペ−パ−を２重３重に折り畳む事が簡単にできないか。
○ペ−パ−を楽にカットできないか。
○ミシン目があればミシン目でカットできないか。
○次に使う人も楽に簡単に使えないか。
○ペ−パ−が少なくなっても使いやすくならないか。
【課題を解決するための手段】
【０００５】本体ケ−スに挿入したロ−ルペ−パ−の先端をつかんでカバ−後ろ奥からカバ−上部にのせて引き出し、カバ−先端のカッタ−歯によりペ−パ−を押し下げてカットする構造のペ−パ−ホルダ−。【０００６】引き出したペ−パ−はカバ−の上で２重３重に折りたたんでカッタ−歯により片手で押し下げる動作でカットできる構造。【０００７】本体ケ−スにロ−ルペ−パ−を挿入する時のカバ−の取り付け方法として次の様な構造があります。
○カバ−手前を奥が撥ね上げられる様に固定し撥ね上げた空間からロ−ルペ−パ−を挿入する構造。
○カバ−奥を手間が撥ね上げられる様に固定し撥ね上げた空間からロ−ルペ−パ−を挿入する構造。
○カバ−左側を本の様に横に開く様固定し、開けてできた空間からロ−ルペ−パ−を挿入する構造。
○カバ−右側を本の様に横に開く様固定し、開けてできた空間からロ−ルペ−パ−を挿入する構造。
○カバ−を手前にスライドさせて、できた空間からロ−ルペ−パ−を挿入する構造。
○カバ−を左側にスライドさせて、できた空間からロ−ルペ−パ−を挿入する構造。
○カバ−を右側にスライドさせて、できた空間からロ−ルペ−パ−を挿入する構造。
○カバ−全体を上から取りはずして、できた空間からロ−ルペ−パ−を挿入してカバ−を上からかぶせる構造。【０００８】ペ−パ−をカットした後  カバ−上部にペ−パ−が残り  次に使う人にも使いやすい構造。【０００９】本体ケ−スの両側をある程度見える様あけてあると本体ケ−ス内のペ−パ−の残量が簡単にわかる構造。【００１０】本体ケ−スにロ−ルペ−パ−を挿入する時  ペ−パ−の出る方向を確認する事がなくただ挿入するだけで使える構造。【００１１】ロ−ルペ−パ−の種類は  芯の有る無し  シングルペ−パ−  ダブルペ−パ−、ただ挿入するだけなのでどんな種類の物でも使える構造。【００１２】カバ−先端のカッタ−歯には金属ではなく  プラスチック  ポリエチレン  塩化ビニ−ル等の柔らかい物を使用すれば怪我はありません。
【発明の効果】
【００１３】まとめると次の様になります。
○片手で簡単にペ−パ−をカット出来る。
○ペ−パ−の先がすぐわかる。
○ペ−パ−の先がつかみやすい。
○ペ−パ−を引き出しやすい。
○カバ−の上で２重３重に折りたためる。
○カバ−の先のカッタ−歯により楽に押し下げてカットできる。
○ミシン目がよくわかる。
○どんな種類のロ−ルペ−パ−でも使用可能である。
○ペ−パ−の出る方向は手前でも後ろでも考えなくてよい。
○使用後もカバ−上にペ−パ−が残り次に使う人にも便利。
○ペ−パ−が少なくなっても使いやすい。
○ロ−ルペ−パ−を横から挿入する構造の物は左右どちらかに１３０ミリの空間が必要だが  上から挿入するのでその空間がいらない。
○狭いトイレ内での設置場所は右でも左でも正面でも場所をとらない。
○使い方がわかれば  老人  子供  病人  怪我人等には使い易いホルダ−です。
【発明が解決しようとする課題】
【００１４】本発明のホルダ−を使用する事により次の様な利点が出てきます。
○老人や力の弱い人は物をつかんで上に持ち上げる動作はなかなか苦労するそうですが、このホルダ−は軽く押し下げる事により折り畳んだペ−パ−を片手で簡単にカットできそのまま使えます。
○体の不自由な人  病気の人  怪我人等にも最適だと思います。
【図面の簡単な説明】
【図１】  斜面図
【図２】  側面図
【図３】  引き出した図
【図４】  奥に持って行き折り畳んだ図
【図５】  畳んだ先を引き出し２重３重にした図
【図６】  切り歯により畳んだままカットした図
【符号の説明】
（１）  本体ケ−ス
（２）  カバ−
（３）  切り歯
【図１】
2007283075.tif 000003
【図２】
2007283075.tif 000004
【図３】
2007283075.tif 000005
【図４】
2007283075.tif 000006
【図５】
2007283075.tif 000007
【図６】
2007283075.tif 000008